(57)【特許請求の範囲】
【請求項１】
食器を収容し上方を開放した洗浄槽をスライドレール等により前後に移動可能とした食器洗浄機本体と、シンクを有しこのシンクの下部にシンク側排水トラップを取り付けたシンクキャビネットと、前記シンク側排水トラップに接続する排水部材と、流入側接続部及び流出側接続部をそれぞれ前記排水部材及びシンク排水ホースに接続する分岐管とを備え、前記食器洗浄機本体をシンクキャビネットのシンクの下方に設置し、前記食器洗浄機本体の内部の食洗側排水トラップに接続した排水ホースは、前記食器洗浄機本体との接続位置が前記分岐管との接続位置より高い位置にあり、二重排水トラップを形成しないように前記分岐管と接続する食器洗浄装置。
【請求項２】
前記分岐管はＴ形分岐管であり、前記Ｔ形分岐管は、流入側接続部と流出側接続部をパイプ形状とし、その外周にねじ部を形成し、接続部内径を排水部材を接着接続できる寸法に構成した請求項１記載の食器洗浄装置。
【請求項３】
食器を収容し上方を開放した洗浄槽をスライドレール等により前後に移動可能とした食器洗浄機本体と、シンクの下部にシンク側排水トラップを有し側壁に配管用の穴を有するシンクキャビネットと、前記シンクキャビネットに併設し前記シンクキャビネットと同じ位置に配管用の穴を有する収納キャビネットとを備え、前記食器洗浄機本体を収納キャビネットに設置し、食器洗浄機本体に接続した排水ホースは、前記シンクキャビネットおよび収納キャビネットの配管用の穴を通り、二重排水トラップを形成しないように前記シンクキャビネットのシンクからの排水経路に接続した食器洗浄装置。
【請求項４】
食器洗浄機本体に接続した排水ホースをシンクキャビネットに取り付けたシンク側排水トラップの封水部より上部に接続した請求項３記載の食器洗浄装置。
【発明の詳細な説明】
【０００１】
【発明の属する技術分野】
本発明は、上方を開放した洗浄槽を前後に移動可能とした食器洗浄機本体をシンクキャビネット内に設置した食器洗浄装置に関する。
【０００２】
【従来の技術】
従来、この種の食器洗浄装置は、図７に示すように構成していた。以下、その構成について説明する。
【０００３】
図７に示すように、シンクキャビネット１は、前面に前扉１ａを開閉自在に設け、上部にシンク２を設けるとともに蛇口３を設けている。排水トラップ４はシンク２の下部に取り付け、この排水トラップ４の下部にＴ形分岐管５をナット６によりねじ止めしている。Ｔ形分岐管５の下部にシンク排水ホース７をナット８によりねじ止めしている。食器洗浄機本体９は、シンクキャビネット１に設置し、この食器洗浄機本体９に接続した排水ホース１０をＴ形分岐管５に接続している。
【０００４】
食器洗浄機本体９は、図８に示すように、前方を開口し、扉１１を手前に倒して開く構成としている。内部には食器を配置する食器かご１２を設けており、この食器かご１２はローラ等により扉１１の内面を転がって前に引き出せる構成としている。
【０００５】
また、食器洗浄機本体９内には洗浄槽１３を有し、洗浄槽１３内の洗浄水を加熱する加熱手段としてヒータ（図示せず）を設け、洗浄槽１３の背面に洗浄ポンプ１４を設け、洗浄ノズル１５より洗浄水を噴射して食器かご１２に配置した食器を洗浄するように構成している。洗浄槽１３内の洗浄水は排水ポンプ（図示せず）により排水するよう構成している。
【０００６】
上記構成において動作を説明すると、利用者が扉１１を開くとき、扉１１は手前に倒す構成であるため、床面近くまで手を添えて扉１１を開く。そして、食器かご１２を引き出し、食器、洗剤をセットして、食器かご１２を食器洗浄機本体９の中に押し込み、扉１１を閉じる。そして、ポンプ１４、洗浄ノズル１５により、ヒータにより加熱された温水を食器に向けて噴射し、食器を洗浄する。洗浄が終了すると、排水ポンプで食器洗浄機本体９より排水する。排水ホース１０はＴ形分岐管５に接続しているため、食器洗浄機本体９からの排水は、排水ホース１０、Ｔ形分岐管５、シンク排水ホース７を通って排水される。
【０００７】
【発明が解決しようとする課題】
このような従来の構成では、食器洗浄機本体９に接続した排水ホース１０の排水出口の位置が、Ｔ形分岐管５の接続部より低い位置にあるため、食器洗浄機本体９内の排水トラップ１６とＴ形分岐管５の間の排水ホース１０が排水トラップを形成し、２重排水トラップになってしまい、排水不良を引き起こすという問題があった。
【０００８】
また、扉１１は倒し扉であり、この倒し扉を有する食器洗浄機本体９をシンク２の下に設置しているため、扉１１の開閉のたびに、身体を大きく曲げなければならず、作業しにくいという問題を有していた。
【０００９】
本発明は上記従来の課題を解決するもので、食器洗浄機本体に接続した排水ホースの接続位置に起因する排水不良が発生するのを防止するとともに、扉を開閉するときの作業を容易にして、作業性を向上することを目的としている。
【００１０】
【課題を解決するための手段】
本発明は上記目的を達成するために、本発明の食器洗浄装置は、食器を収容し上方を開放した洗浄槽をスライドレール等により前後に移動可能とした食器洗浄機本体を、シンクを有しこのシンクの下部にシンク側排水トラップを取り付けたシンクキャビネットのシンクの下部に設置し、シンク側排水トラップに接続する排水部材と、流入側接続部及び流出側接続部をそれぞれ排水部材及びシンク排水ホースに接続する分岐管とを備え、食器洗浄機本体の内部の食洗側排水トラップに接続した排水ホースは、食器洗浄機本体との接続位置が分岐管との接続位置より高い位置にあり、二重排水トラップを形成しないように分岐管と接続するものである。
【００１１】
これにより、食器洗浄機本体に接続した排水ホースの接続位置に起因する排水不良が発生するのを防止するとともに、扉を開閉するときの作業を容易にして、作業性を向上することを目的としている。
【００１２】
【発明の実施の形態】
本発明の請求項１に記載の発明は、食器を収容し上方を開放した洗浄槽をスライドレール等により前後に移動可能とした食器洗浄機本体と、シンクを有しこのシンクの下部にシンク側排水トラップを取り付けたシンクキャビネットと、前記シンク側排水トラップに接続する排水部材と、流入側接続部及び流出側接続部をそれぞれ前記排水部材及びシンク排水ホースに接続する分岐管とを備え、前記食器洗浄機本体をシンクキャビネットのシンクの下方に設置し、前記食器洗浄機本体の内部の食洗側排水トラップに接続した排水ホースは、前記食器洗浄機本体との接続位置が前記分岐管との接続位置より高い位置にあり、二重排水トラップを形成しないように前記分岐管と接続するものであり、シンクのシンク側排水トラップに接続した分岐管の位置を下げることができて、食器洗浄機本体の排水出口より食器洗浄機本体の排水ホースの接続位置を低くすることができ、食器洗浄機本体に接続した排水ホースの接続位置に起因する排水不良が発生するのを防止することができるとともに、食器洗浄機本体を引き出し構造にして作業姿勢が前屈みにならないようにして、扉を開閉するときの作業を容易にして、作業性を向上することができる。また、二重の排水トラップを形成しないようにすることができる。
【００１３】
請求項２に記載の発明は、上記請求項１に記載の発明において、前記分岐管はＴ形分岐管であり、前記Ｔ形分岐管は、流入側接続部と流出側接続部をパイプ形状とし、その外周にねじ部を形成し、接続部内径を排水部材を接着接続できる寸法に構成したものであり、Ｔ形分岐管の流入側接続部と流出側接続部に接続される排水部材は、ねじ止めまたは接着のいずれかで接続することができ、作業性、施工性を向上することができる。
【００１４】
請求項３に記載の発明は、食器を収容し上方を開放した洗浄槽をスライドレール等により前後に移動可能とした食器洗浄機本体と、シンクの下部にシンク側排水トラップを有し側壁に配管用の穴を有するシンクキャビネットと、前記シンクキャビネットに併設し前記シンクキャビネットと同じ位置に配管用の穴を有する収納キャビネットとを備え、前記食器洗浄機本体を収納キャビネットに設置し、食器洗浄機本体に接続した排水ホースは、前記シンクキャビネットおよび収納キャビネットの配管用の穴を通り、二重排水トラップを形成しないように前記シンクキャビネットのシンクからの排水経路に接続したものであり、収納キャビネットに設置した食器洗浄機本体の排水ホースをシンクキャビネットのシンクからの排水経路に接続することで、収納キャビネットに食器洗浄機本体の排水部材を設ける必要がなく、施工性を向上することができる。また、二重の排水トラップを形成しないようにすることができる。
【００１５】
請求項４に記載の発明は、上記請求項３に記載の発明において、食器洗浄機本体に接続した排水ホースをシンクキャビネットに取り付けたシンク側排水トラップの封水部より上部に接続したものであり、食器洗浄機本体からの排水がシンク側排水トラップの封水に影響を与えることがなく、また、シンクからの排水が食器洗浄機本体に内蔵された食洗側排水トラップに影響を与えることがなく、排水トラップの封水の信頼性を向上することができる。
【００１６】
【実施例】
以下、本発明の実施例について、図面を参照しながら説明する。
【００１７】
（実施例１）
図１に示すように、シンクキャビネット１７は、前面に前扉１７ａを開閉自在に設け、上部にシンク１８を設けるとともに蛇口１９を設けている。シンク側排水トラップ２０はシンク１８の下部に取り付け、配水管２１等からの臭いを防いでいる。シンク側排水トラップ２０の下部にねじを形成し、排水パイプ（排水部材）２２をねじ接続できるように構成している。
【００１８】
Ｔ形分岐管２３は排水を分岐するもので、流入側接続部を排水パイプ２２を介してシンク側排水トラップ２０にナット２４によりねじ止めしている。Ｔ形分岐管２３の流出側接続部はナット２５でシンク排水ホース２６に接続している。
【００１９】
食器洗浄機本体２７は、シンクキャビネット１７のシンク１８の下方に設置し、内部に食洗側排水トラップ２８を有し、この食洗側排水トラップ２８に接続した排水ホース２９をＴ形分岐管２３に接続している。食器洗浄機本体２７内での排水ホース２９の接続位置は、Ｔ形分岐管２３との接続位置より高くなるように、排水パイプ２２の長さを設定している。これにより、食器洗浄機本体２７からの排水は自然にＴ形分岐管２３に流れ込むようになっている。
【００２０】
食器洗浄機本体２７は、図２に示すように構成しており、扉３０は把手を上部に設け、この扉３０に洗浄タンク３１を固定している。洗浄タンク３０にはレール３２を固定して前後に移動可能とし、食器洗浄機本体２７よりスライドして引き出されるように構成している。洗浄かご３３は洗浄タンク３１に収容し、この洗浄かご３３に食器を配置している。
【００２１】
上記構成において動作を説明する。使用者が把手を持って扉３０を引き出すことにより洗浄タンク３１を引き出し、洗浄かご３３に食器をセットして洗剤を入れ、扉３０の把手を持って洗浄タンク３１を食器洗浄機本体２７に押し込み、運転を開始する。このとき、使用者が操作する把手の位置が扉３０の上部に設けているので、高い位置にあるため前屈みになる程度は小さく、作業性を向上することができる。
【００２２】
洗浄が終了すると、排水ポンプ（図示せず）により洗浄タンク３１内の洗浄水が食洗側排水トラップ２８、排水ホース２９を通ってＴ形分岐管２３に流れ込み、シンク排水ホース２６を通って外部に排水される。
【００２３】
一方、シンク１８から排水される場合、シンク１８内の水はシンク側排水トラップ２０を通って排水パイプ２２、Ｔ形分岐管２３を通ってシンク排水ホース２６に流れ込む。このとき、食器洗浄機本体２７内の排水ホース２９の接続位置はＴ形分岐管２３の接続位置より高い位置にあるため、シンク１８からの排水が食器洗浄機本体２７内に流れ込むことはない。
【００２４】
すなわち、Ｔ形分岐管２３を排水パイプ２２を介してシンク側排水トラップ２０に接続しているので、Ｔ形分岐管２３の位置を下げることができて、食器洗浄機本体２７の排水出口より食器洗浄機本体２７の排水ホース２９の接続位置を低くすることができ、排水ホース２９の接続位置に起因する排水不良が発生するのを防止することができる。
【００２５】
（実施例２）
図３に示すように、Ｔ形分岐管２３ａはシンク側排水トラップ（図示せず）に接続した排水パイプ（排水部材）２２に、食器洗浄機本体（図示せず）に接続した排水ホース２９を分岐して接続するもので、流入側接続部３４と流出側接続部３５をパイプ形状とし、その外周にねじ部３６を形成し、流入側接続部３４と流出側接続部３５の内径を排水パイプ
２２を水密的に接着接続できる寸法に構成している。
【００２６】
上記構成において、Ｔ形分岐管２３ａの流入側接続部３４に排水パイプ２２を水密的に接着接続し、流出側接続部３５にナット２５とパッキン３７とでシンク排水ホース２５を水密的に接続する。
【００２７】
また、図４に示すように、Ｔ形分岐管２３ａの流入側接続部３４にシンク側排水トラップに接続したトラップ排水ホース３８をナット２５とパッキン３７とで水密的に接続し、流出側接続部３５にナット２５とパッキン３７とでシンク排水ホース２６を水密的に接続する。
【００２８】
このように、Ｔ形分岐管２３ａの流入側接続部３４と流出側接続部３５の外周にねじ部３６を形成し、流入側接続部３４と流出側接続部３５の内径を排水パイプ２２を水密的に接着接続できる寸法に構成しているため、図３に示すように、排水パイプ２２をＴ形分岐管４０に接着し、その排水パイプ２２をナットとパッキンでシンク側排水トラップ（いずれも図示せず）にねじ止めすることができる。
【００２９】
また、図４に示すように、Ｔ形分岐管２３ａの流入側接続部３４と流出側接続部３５はねじ部３６を有しているため、シンク側排水トラップとＴ形分岐管２３ａはトラップ排水ホース３８をナット２５とパッキン３７とで接続することができる。このため、シンクの位置と、シンクキャビネットの排水管との位置のずれが大きい場合は、Ｔ形分岐管２３ａとシンク側排水トラップとの間をトラップ排水ホース３８で接続することにより対応でき、作業性、施工性を向上することができる。
【００３０】
（実施例３）
図５に示すように、シンクキャビネット１７ｂは、シンク１８の下部にシンク側排水トラップ２０を取り付け、側壁に配管用の穴３９を設けている。収納キャビネット４０はシンクキャビネット１７に併設し、シンクキャビネット１７ｂの配管用の穴３９と同じ位置に配管用の穴４１を設け、この収納キャビネット４０に食器洗浄機本体２７ｂを設置している。
【００３１】
食器洗浄機本体２７ｂに接続した排水ホース２９ｂをシンクキャビネット１７ｂの配管用の穴３９および収納キャビネット４０の配管用の穴４１を通し、シンクキャビネット１７ｂのシンク側排水トラップ２０に排水パイプ２２を介して接続したＴ形分岐管２３に接続している。他の構成は上記実施例１と同じである。
【００３２】
上記構成において動作を説明する。使用者が把手を持って洗浄タンクを引き出し、洗浄かごに食器をセットして洗剤を入れ、扉の把手を持って洗浄タンクを食器洗浄機本体２７ｂに押し込み、運転を開始する。洗浄が終了すると、洗浄タンク内の洗浄水は、収納キャビネト４０とシンクキャビネット１７ｂの側壁にそれぞれ配管用の穴４１、３９を貫通した排水ホース２９ｂを通ってＴ形分岐管２３に流れ込み、シンク排水ホース２６を通って外部に排水される。
【００３３】
食器洗浄機本体２７ｂを設置する場合は、排水管を専用に設けることが一般的であるが、このように収納キャビネット４０とシンクキャビネット１７ｂに配管用の穴４１、３９を設けることにより、シンクキャビネト１７ｂのシンク排水ホース２６を食器洗浄機本体２７ｂの排水と共用することができる。このことは、給水管についても同様のことがいえる。これにより、収納キャビネット４０に食器洗浄機本体２７ｂの排水部材を設ける必要がなく、施工性を向上することができる。
【００３４】
なお、本実施例では、食器洗浄機本体２７ｂに接続した排水ホース２９ｂをシンクキャビネット１７ｂの配管用の穴３９および収納キャビネット４０の配管用の穴４１を通し、シンクキャビネット１７ｂのシンク側排水トラップ２０に排水パイプ２２を介して接続したＴ形分岐管２３に接続しているが、シンク１８からの排水経路に接続すれば、同様の作用、効果を得ることができる。
【００３５】
（実施例４）
図６に示すように、シンクキャビネット１７ｃは、シンク１８の下部にシンク側排水トラップ４２を取り付け、側壁に配管用の穴３９を設けている。収納キャビネット４０ｃはシンクキャビネット１７ｃに併設し、シンクキャビネット１７ｃの配管用の穴３９と同じ位置に配管用の穴４１を設け、この収納キャビネット４０ｃに食器洗浄機本体２７ｃを設置している。
【００３６】
シンク側排水トラップ４２は、側面に接続部４３を有し、この接続部４３はシンク側排水トラップ４２の封水部４４より上に設けている。食器洗浄機本体２７ｃは、内部に食洗側排水トラップ２８を有し、この食洗側排水トラップ２８に接続した排水ホース２９ｃをシンクキャビネット１７ｃの配管用の穴３９および収納キャビネット４０ｃの配管用の穴４１を通し、シンク側排水トラップ４２の接続部４３に接続している。
【００３７】
シンク側排水トラップ４２の接続部４３の位置は、食器洗浄機本体２７ｃ内の排水ホース２９ｃの接続位置より低い位置としている。他の構成は上記実施例３と同じである。
【００３８】
上記構成において動作を説明する。使用者が把手を持って洗浄タンクを引き出し、洗浄かごに食器をセットして洗剤を入れ、扉の把手を持って洗浄タンクを食器洗浄機本体２７ｃに押し込み、運転を開始する。洗浄が終了すると、洗浄タンク内の洗浄水は、収納キャビネト４０ｃとシンクキャビネット１７ｃの側壁にそれぞれ配管用の穴４１、３９を貫通した排水ホース２９ｃを通ってシンク側排水トラップ４２に流れ込み、シンク排水ホース２６を通って外部に排水される。
【００３９】
このとき、食器洗浄機本体２７ｃの排水ホース２９ｃを接続する接続部４３はシンク側排水トラップ４２の封水部４４より上に設けているため、食器洗浄機本体２７ｃからの排水がシンク側排水トラップ４２の封水に影響を与えることがなく、また、シンク１８からの排水が食器洗浄機本体２７ｃに内蔵された食洗側排水トラップ２８に影響を与えることがなく、食洗側排水トラップ２８、４２の封水の信頼性を向上することができる。
【００４０】
【発明の効果】
以上のように本発明の請求項１に記載の発明によれば、食器を収容し上方を開放した洗浄槽をスライドレール等により前後に移動可能とした食器洗浄機本体と、シンクを有しこのシンクの下部にシンク側排水トラップを取り付けたシンクキャビネットと、前記シンク側排水トラップに接続する排水部材と、流入側接続部及び流出側接続部をそれぞれ前記排水部材及びシンク排水ホースに接続する分岐管とを備え、前記食器洗浄機本体をシンクキャビネットのシンクの下方に設置し、前記食器洗浄機本体の内部の食洗側排水トラップに接続した排水ホースは、前記食器洗浄機本体との接続位置が前記分岐管との接続位置より高い位置にあり、二重排水トラップを形成しないように前記分岐管と接続するから、食器洗浄機本体の排水出口より食器洗浄機本体の排水ホースの接続位置を低くすることができ、食器洗浄機本体に接続した排水ホースの接続位置に起因する排水不良が発生するのを防止することができるとともに、シンクからの排水が食器洗浄機本体に流れ込むことがなく、衛生面で向上することができ、また、食器洗浄機本体を引き出し構造にして作業姿勢が前屈みにならないようにして、扉を開閉するときの作業を容易にできて、作業性を向上することができる。また、二重の排水トラップを形成しないようにすることができる。
【００４１】
また、請求項２に記載の発明によれば、前記分岐管はＴ形分岐管であり、前記Ｔ形分岐管は、流入側接続部と流出側接続部をパイプ形状とし、その外周にねじ部を形成し、接続部内径を排水部材を接着接続できる寸法に構成したから、Ｔ形分岐管の流入側接続部と流出側接続部に接続される排水部材は、ねじ止めまたは接着のいずれかで接続することができ、施工のバリエーションが広がり、施工の融通性を大きくすることができるとともに、作業性、施工性を向上することができる。
【００４２】
また、請求項３に記載の発明によれば、食器を収容し上方を開放した洗浄槽をスライドレール等により前後に移動可能とした食器洗浄機本体と、シンクの下部にシンク側排水トラップを有し側壁に配管用の穴を有するシンクキャビネットと、前記シンクキャビネットに併設し前記シンクキャビネットと同じ位置に配管用の穴を有する収納キャビネットとを備え、前記食器洗浄機本体を収納キャビネットに設置し、食器洗浄機本体に接続した排水ホースは、前記シンクキャビネットおよび収納キャビネットの配管用の穴を通り、二重排水トラップを形成しないように前記シンクキャビネットのシンクからの排水経路に接続したから、収納キャビネットに設置した食器洗浄機本体の排水ホースをシンクキャビネットのシンクからの排水経路に接続することで、収納キャビネットに食器洗浄機本体の排水部材を設ける必要がなく、施工性を向上することができる。
【００４３】
また、請求項４に記載の発明によれば、食器洗浄機本体に接続した排水ホースをシンクキャビネットに取り付けた排水トラップの封水部より上部に接続したから、食器洗浄機本体からの排水が排水トラップの封水に影響を与えることがなく、また、シンクからの排水が食器洗浄機本体に内蔵された排水トラップに影響を与えることがなく、排水トラップの封水の信頼性を向上することができる。
【図面の簡単な説明】
【図１】  本発明の第１の実施例の食器洗浄装置の前扉の開状態の一部切欠した正面図
【図２】  同食器洗浄装置の側断面図
【図３】  本発明の第２の実施例の食器洗浄装置の要部断面図
【図４】  同食器洗浄装置の他の例の要部断面図
【図５】  本発明の第３の実施例の食器洗浄装置の前扉の開状態の一部切欠した正面図
【図６】  本発明の第４の実施例の食器洗浄装置の前扉の開状態の一部切欠した正面図
【図７】  従来の食器洗浄装置の前扉の開状態の一部切欠した正面図
【図８】  同食器洗浄装置の側断面図
【符号の説明】
１７  シンクキャビネット
１８  シンク
２０  シンク側排水トラップ
２２  排水パイプ（排水部材）
２７  食器洗浄機本体
２９  排水ホース
２８  食洗側排水トラップ
３１  洗浄槽
３２  スライドレール
【図１】
0004399951.tif 000002
【図２】
0004399951.tif 000003
【図３】
0004399951.tif 000004
【図４】
0004399951.tif 000005
【図５】
0004399951.tif 000006
【図６】
0004399951.tif 000007
【図７】
0004399951.tif 000008
【図８】
0004399951.tif 000009